(57)【要約】      （修正有）【課題】両半割体を組み付ける作業を容易にする。【解決手段】カバー蓋およびカバー本体３０からなり、コネクタハウジング５０の後方に取り付けられるコネクタカバー１０であって、カバー本体３０に、コネクタハウジング５０の後方に引き出された電線Ｗをその引き出し方向とは異なる方向に屈曲させる電線ガイド部３２が設けられており、この電線ガイド部３２は、電線Ｗの両側に配置された一対のガイド壁３３と、両ガイド壁３３間に配置された電線Ｗが両ガイド壁３３間から離脱することを規制する規制部３６とを備えて構成されており、電線Ｗは、カバー本体３０のみをコネクタハウジング５０の後方に取り付けた状態で規制部３６によって両ガイド壁３３間に保持される構成としたところに特徴を有する。【選択図】図３
2011253681.tif 000002
【特許請求の範囲】
【請求項１】
一対の半割体からなり、コネクタハウジングの後方に取り付けられるコネクタカバーであって、
一方の前記半割体に、前記コネクタハウジングの後方に引き出された電線をその引き出し方向とは異なる方向に屈曲させる電線ガイド部が設けられており、
この電線ガイド部は、前記電線の両側に配置された一対のガイド壁と、両ガイド壁間に配置された電線が前記両ガイド壁間から離脱することを規制する規制部とを備えて構成されており、
前記電線は、前記一方の半割体のみを前記コネクタハウジングの後方に取り付けた状態で前記規制部によって前記両ガイド壁間に保持されることを特徴とするコネクタカバー。
【請求項２】
前記規制部は、前記コネクタハウジングの後方に引き出された電線と前記電線ガイド部によって前記引き出し方向とは異なる方向に導かれた電線との間に位置するガイド壁に設けられていることを特徴とする請求項１に記載のコネクタカバー。
【請求項３】
前記規制部は、一方の前記ガイド壁において他方の前記ガイド壁と対向する傾斜面を有しており、この傾斜面は、前記一方のガイド壁の基端側から先端側に向かうほど前記他方のガイド壁に近づくオーバーハング状に形成されていることを特徴とする請求項１または請求項２に記載のコネクタカバー。
【請求項４】
前記一方の半割体の底面には、前記電線の引き出し方向と交差する方向に延びるリブが前記電線側に突出して形成されており、前記ガイド壁は、前記リブと一体に形成されていることを特徴とする請求項１ないし請求項３のいずれか一項に記載のコネクタカバー。
【請求項５】
前記複数のリブの突出端面に、前記両ガイド壁間に配置された電線が支持されていることを特徴とする請求項４に記載のコネクタカバー。
【発明の詳細な説明】
【技術分野】
【０００１】
本発明は、一対の半割体からなり、コネクタハウジングの後方に取り付けられるコネクタカバーに関する。
【背景技術】
【０００２】
この種のコネクタカバーとして、例えば下記特許文献１に記載のものが知られている。このコネクタカバーは一対の半割体からなり、各半割体は、可撓性のヒンジ部を介してコネクタハウジングに連結されている。コネクタハウジングから後方に引き出された電線は、略直角に屈曲された状態で両半割体を組み付けることにより、コネクタカバーの下方に導かれている。コネクタカバーの内部には、屈曲された電線の内周側に配置された引掛棒が設けられている。この引掛棒に電線が支持されることにより、電線とこの電線の外周面に装着されたゴム栓との間に隙間が形成されてコネクタハウジングの内部に浸水することを規制している。
【先行技術文献】
【特許文献】
【０００３】
【特許文献１】特開平９−１０２３５５号公報
【発明の概要】
【発明が解決しようとする課題】
【０００４】
上記のコネクタカバーによると、両半割体がコネクタハウジングと一体に形成されているため、両半割体を別途コネクタハウジングの後方に組み付ける必要がない。しかしながら、電線を屈曲させた状態に保持する手段が設けられていないため、両半割体を組み付けるまでの間、電線を屈曲させた状態に手で保持しておく必要があり、両半割体を組み付ける作業が面倒になる。
【０００５】
本発明は上記のような事情に基づいて完成されたものであって、両半割体を組み付ける作業を容易にすることを目的とする。
【課題を解決するための手段】
【０００６】
本発明は、一対の半割体からなり、コネクタハウジングの後方に取り付けられるコネクタカバーであって、一方の半割体に、コネクタハウジングの後方に引き出された電線をその引き出し方向とは異なる方向に屈曲させる電線ガイド部が設けられており、この電線ガイド部は、電線の両側に配置された一対のガイド壁と、両ガイド壁間に配置された電線が両ガイド壁間から離脱することを規制する規制部とを備えて構成されており、電線は、一方の半割体のみをコネクタハウジングの後方に取り付けた状態で規制部によって両ガイド壁間に保持される構成としたところに特徴を有する。
【０００７】
このような構成によると、一方の半割体のみをコネクタハウジングの後方に取り付けた状態としておき、電線を両ガイド壁間に挿入して規制部によって電線の離脱を規制することができる。次に、他方の半割体を一方の半割体に組み付けることにより、コネクタカバーが完成し、かつ、このコネクタカバーがコネクタハウジングの後方に取り付けられた状態となる。したがって、他方の半割体を一方の半割体に組み付けるまでの間、電線を電線ガイド部に対して手で保持しておく必要がなく、両半割体を組み付ける作業が容易になる。
【０００８】
本発明の実施の態様として、以下の構成が好ましい。
規制部は、コネクタハウジングの後方に引き出された電線と電線ガイド部によって引き出し方向とは異なる方向に導かれた電線との間に位置するガイド壁に設けられている構成としてもよい。
【０００９】
例えば電線を屈曲させた状態でこの電線が引っ張られた場合、屈曲状態となった電線の内側に位置するガイド壁に荷重がかかりやすくなる。その点、上記の構成によると、電線の内側に規制部が配置されるから、電線が引っ張られた場合にその電線の内側に位置するガイド壁に電線が接触することとなり、規制部によって電線を保持しやすくなる。
【００１０】
規制部は、一方のガイド壁において他方のガイド壁と対向する傾斜面を有しており、この傾斜面は、一方のガイド壁の基端側から先端側に向かうほど他方のガイド壁に近づくオーバーハング状に形成されている構成としてもよい。
このような構成によると、一方のガイド壁にオーバーハング状の傾斜面を形成することによって規制部を簡易に設けることができる。
【００１１】
一方の半割体の底面には、電線の引き出し方向と交差する方向に延びるリブが電線側に突出して形成されており、ガイド壁は、リブと一体に形成されている構成としてもよい。
このような構成によると、リブによってガイド壁が倒れることを規制できる。
【００１２】
複数のリブの突出端面に、両ガイド壁間に配置された電線が支持されている構成としてもよい。
このような構成によると、複数のリブの突出端面に電線を載せて支持することができるため、規制部とともに電線を安定して保持することができる。
【発明の効果】
【００１３】
本発明によれば、両半割体を組み付ける作業を容易にすることができる。
【図面の簡単な説明】
【００１４】
【図１】実施形態におけるコネクタカバーがコネクタハウジングの後方に取り付けられた状態を示した平面図
【図２】図１におけるＡ−Ａ線断面図
【図３】コネクタハウジングの後方にカバー本体のみを取り付けた状態を示した平面図
【図４】図３におけるＢ−Ｂ線断面図
【図５】コネクタカバーの正面図
【図６】コネクタカバーの背面図
【図７】コネクタカバーの右側面図
【図８】コネクタカバーの左側面図
【発明を実施するための形態】
【００１５】
＜実施形態＞
本発明の実施形態を図１ないし図８の図面を参照しながら説明する。本実施形態におけるコネクタカバー１０は、図１に示すように、コネクタハウジング５０の後方に取り付けられている。コネクタハウジング５０には、回動可能なレバー６０が組み付けられている。コネクタハウジング５０に相手側コネクタハウジング（図示せず）を浅く嵌合させた後、レバーを回動させることにより両コネクタハウジングを正規嵌合させることができるようになっている。
【００１６】
コネクタハウジング５０は合成樹脂製であって、このコネクタハウジング５０の内部には、図２に示すように、キャビティ５１が前後方向に貫通して形成されている。キャビティ５１の略前半部には、端子金具（図示せず）が挿入される端子収容部５２が形成され、キャビティ５１の略後半部には、ゴム栓４０が挿入されるゴム栓収容部５３が形成されている。
【００１７】
コネクタハウジング５０における端子収容部５２の外周には、相手側コネクタハウジングが嵌合可能な嵌合筒部５４が形成されている。一方、コネクタハウジング５０におけるゴム栓収容部５３の外周には、コネクタカバー１０を取り付け固定する取付突部５５が形成されている。取付突部５５は、コネクタハウジング５０の上下両面に配置され、上下各面において幅方向に一対配置されている。一方、コネクタカバー１０において取付突部５５と対応する位置には、図１に示すように、取付突部５５と前後方向に係止可能な取付片１７が設けられている。取付片１７と取付突部５５を係止させることで、コネクタカバー１０がコネクタハウジング５０の後方に取り付け固定される。
【００１８】
コネクタカバー１０は合成樹脂製であって、上下一対の半割体からなる。以下においては上側（図２における上側）の半割体をカバー蓋２０とし、下側（図２における下側）の半割体をカバー本体３０とする。また、コネクタカバー１０全体としては、図１に示すように、コネクタハウジング５０の後方に配置された電線屈曲部１１、電線屈曲部１１の側部後端から折り返し状に斜め前方に枝分かれした形態の電線排出部１２などを備えている。電線屈曲部１１の内部では、図３に示すように、コネクタハウジング５０の後方に引き出された電線Ｗが図示左側に屈曲されており、この屈曲された電線Ｗが電線排出部１２を通ってコネクタカバー１０の外部に排出されている。
【００１９】
電線排出部１２における端部には、コルゲートチューブ（図示せず）を装着するための装着部１３が設けられている。この装着部１３は、コルゲートチューブの下半分を支持する支持部１４と、この支持部１４上に支持されたコルゲートチューブを上方から押さえ付ける押さえ部１５と、この押さえ部１５を支持部１４に対して開閉可能に連結する可撓性のヒンジ部１６とを備えて構成されている。図５に示すように、押さえ部１５を支持部１４に組み付けた状態では、押さえ部１５側のロック片１５Ａが支持部１４側のロック突部１４Ａに係止することにより、押さえ部１５が閉じた状態に保持される。なお、装着部１３は、コネクタカバー１０のカバー本体３０と一体に設けられている。
【００２０】
カバー本体３０の外周端部には、図５ないし図８に示すように、複数の係止片３１が設けられている。具体的に説明すると、図５に示すように、電線排出部１２の外周側面に図示１つの係止片３１が設けられ、図６および図７に示すように、電線屈曲部１１の外周側面に図示３つの係止片３１が設けられている。一方、カバー蓋２０において係止片３１と対応する位置には、係止片３１と係止可能な係止突部２１が設けられている。係止突部２１と係止片３１が上下方向に係止した状態ではカバー本体３０がカバー蓋２０によって覆われた状態に保持される。なお、図６に示すように、カバー本体３０の後面側に配置された一対の係止片３１は、１つの係止片３１で２つの係止突部２１を一度に係止可能とされている。
【００２１】
さて、カバー本体３０における電線屈曲部１１の内部には、図３に示すように、複数の電線ガイド部３２が設けられている。電線ガイド部３２は、電線Ｗの本数に合わせて設定されている。電線ガイド部３２は、コネクタハウジング５０のゴム栓収容部５３と前後方向に揃う配置とされている。このため、電線ガイド部３２とゴム栓収容部５３との間では、電線Ｗの延出方向を前後方向に維持することができる。したがって、電線Ｗとこの電線Ｗの外周面に装着されたゴム栓４０との間に隙間が形成されてゴム栓収容部５３からコネクタハウジング５０の内部に浸水することを規制できる。
【００２２】
電線ガイド部３２は、電線Ｗの両側に配置された一対のガイド壁３３を備えて構成されている。各ガイド壁３３のうち、隣り合う電線Ｗの間に配置されるガイド壁３３については、両電線Ｗに共用のガイド壁３３として１つだけが形成されている。
【００２３】
各ガイド壁３３は、カバー本体３０の底面３４から上方に突出して形成された倒れ規制リブ３５によって互いに連結されている。倒れ規制リブ３５は、各電線Ｗを横切る方向に延びる形態をなしており、前後方向に所定の間隔を空けて２条が形成されている。倒れ規制リブ３５は、図５に示すように、底面３４から上方に突出して形成されており、その突出高さは、コネクタハウジング５０の後方に引き出された電線Ｗの下端部に接触可能な高さに設定されている。これにより、電線Ｗは、倒れ規制リブ３５の突出端面３５Ａ上に支持される。
【００２４】
電線Ｗは、コネクタハウジング５０の後方に引き出された後、電線ガイド部３２にてその引き出し方向とは異なる方向に屈曲されており、電線屈曲部１１の内周面に沿って電線排出部１２に導かれている。ここで、電線Ｗを屈曲させると、電線Ｗの反力によって直線形状に戻ろうとするため、電線Ｗが両ガイド壁３３間から上方に離脱しようとする。そのため、電線ガイド部３２には、電線Ｗの上方への離脱を規制する規制部３６が設けられている。
【００２５】
規制部３６は、図３に示すように、電線Ｗの両側に配置された一対のガイド壁３３のうち、屈曲された電線Ｗ側に配置されたガイド壁３３に設けられている。より詳細には、規制部３６は、コネクタハウジング５０の後方に引き出された電線Ｗと電線ガイド部３２によって引き出し方向とは異なる方向に導かれた電線Ｗとの間に形成された内側領域に位置するガイド壁（以下、内側ガイド壁という）３３に設けられている。なお、電線Ｗの両側に配置された両ガイド壁３３のうち、内側ガイド壁３３と対向するガイド壁３３を外側ガイド壁３３という。
【００２６】
また、規制部３６は、図４に示すように、内側ガイド壁３３において外側ガイド壁３３と対向する傾斜面３６Ａを有している。一方、外側ガイド壁３３は、傾斜面３６Ａと対向する垂直面３３Ａを有している。この垂直面３３Ａは、倒れ規制リブ３５の突出端面３５Ａから垂直に立ち上がる形態とされている。傾斜面３６Ａは、内側ガイド壁３３の基端側（下端側）から先端側（上端側）に向かうほど垂直面３３Ａに近づくオーバーハング状に形成されている。ここで、両ガイド壁３３間の間口寸法Ｌは、電線Ｗの外径よりも小さめとされている。さらに、電線Ｗは、傾斜面３６Ａと垂直面３３Ａと倒れ規制リブ３５の突出端面３５Ａとに対して接触した状態となって３点で支持される。したがって、両ガイド壁３３間に押し込まれた電線Ｗは、規制部３６によって両ガイド壁３３間に保持される。
【００２７】
このような規制部３６は、図３に示すように、図示左側の電線Ｗと図示右側の電線Ｗに対して設けられており、図示中央に配置されたやや小径の電線Ｗに対しては設けられていない。しかしながら、小径の電線Ｗは、左右両側の電線Ｗによって上下方向から挟まれているため、両ガイド壁３３間から上方に離脱することはない。なお、図示右側の電線Ｗに対する外側ガイド壁３３は、電線屈曲部１１の内周面から内方に突出して形成されている。
【００２８】
本実施形態は以上のような構成であって、続いてその作用を説明する。まず、カバー本体３０をコネクタハウジング５０の後方に取り付ける。すると、カバー本体３０の取付片１７がコネクタハウジング５０の取付突部５５に対して前後方向に係止してカバー本体３０がコネクタハウジング５０に固定される。この状態で、各電線Ｗを両ガイド壁３３間に押し込み、各電線Ｗを電線屈曲部１１から電線排出部１２側に屈曲させる。これにより、電線Ｗは、規制部３６によって両ガイド壁３３間から上方に離脱することが規制される。
【００２９】
次に、電線Ｗをコルゲートチューブに通して、このコルゲートチューブを支持部１４上に配置する。この後、押さえ部１５を閉じて支持部１４に組み付けると、ロック片１５Ａがロック突部１４Ａに係止することで押さえ部１５の開きが規制される。こうして、コルゲートチューブが装着部１３に保持される。この状態では、電線Ｗが規制部３６によってカバー本体３０に保持されているため、電線Ｗを手でカバー本体３０に保持しておく必要がない。したがって、カバー蓋２０をカバー本体３０に対して上方から容易に組み付けることができる。この組み付けに伴ってカバー蓋２０の外周面に配置された複数の係止突部２１が、カバー本体３０の外周面に配置された複数の係止片３１に対して上下方向に係止する。この結果、コネクタカバー１０が完成し、コネクタカバー１０がコネクタハウジング５０の後方に取り付け固定された状態となる。
【００３０】
以上のように本実施形態によると、カバー本体３０をコネクタハウジング５０の後方に取り付けた状態で電線Ｗを規制部３６によって両ガイド壁３３間に保持することができるため、カバー蓋２０をカバー本体３０に組み付ける作業が容易になる。また、規制部３６を内側ガイド壁３３に設けたから、例えば電線Ｗが引っ張られるなどして電線Ｗが内側ガイド壁３３に押し当てられた場合に、電線Ｗが両ガイド壁３３間から離脱することを確実に規制できる。
【００３１】
また、オーバーハング状をなす傾斜面３６Ａによって電線Ｗの離脱を規制しているため、規制部３６を複雑な形状にする必要がなく、規制部３６を簡易に設けることができる。また、カバー本体３０の底面３４に倒れ規制リブ３５を設け、この倒れ規制リブ３５と一体にガイド壁３３を設けたから、ガイド壁３３が倒れることを規制できる。また、倒れ規制リブ３５の突出端面３５Ａに電線Ｗを支持させているから、規制部３６の傾斜面３６Ａと倒れ規制リブ３５の突出端面３５Ａとの間に電線Ｗを挟んだ状態で電線Ｗを安定して支持することができる。
【００３２】
＜他の実施形態＞
本発明は上記記述及び図面によって説明した実施形態に限定されるものではなく、例えば次のような実施形態も本発明の技術的範囲に含まれる。
（１）上記実施形態では、規制部３６を内側ガイド壁３３と一体に設けているものの、本発明によると、規制部を外側ガイド壁３３と一体に設けてもよいし、あるいは、規制部を両ガイド壁３３とは別体に設けてもよい。
【００３３】
（２）上記実施形態では、内側ガイド壁３３のみに規制部３６を設けているものの、本発明によると、両ガイド壁３３にそれぞれ規制部を設けてもよい。
【００３４】
（３）上記実施形態では、規制部３６にオーバーハング状をなす傾斜面３６Ａを設けているものの、本発明によると、規制部に垂直面を形成し、この垂直面と外側ガイド壁３３の垂直面３３Ａとの間に電線Ｗを圧入してもよい。
【００３５】
（４）上記実施形態では、規制部３６の補強として倒れ規制リブ３５を設けているものの、本発明によると、規制部を電線Ｗの引き出し方向と交差する方向に延びるリブ状に形成することにより、倒れ規制リブをなくしてもよい。
【００３６】
（５）上記実施形態では、倒れ規制リブ３５の突出端面３５Ａに電線Ｗを載せて支持しているものの、本発明によると、電線Ｗを上下方向から挟んで支持する規制部を設けることにより、倒れ規制リブをなくしてもよい。
【符号の説明】
【００３７】
１０…コネクタカバー
２０…カバー蓋（半割体）
３０…カバー本体（半割体）
３２…電線ガイド部
３３…ガイド壁
３４…底面
３５…倒れ規制リブ（リブ）
３５Ａ…突出端面
３６…規制部
３６Ａ…傾斜面
５０…コネクタハウジング
Ｗ…電線
【図１】
2011253681.tif 000003
【図２】
2011253681.tif 000004
【図３】
2011253681.tif 000005
【図４】
2011253681.tif 000006
【図５】
2011253681.tif 000007
【図６】
2011253681.tif 000008
【図７】
2011253681.tif 000009
【図８】
2011253681.tif 000010